(57)【特許請求の範囲】
【請求項１】
顎骨側に配置する固定用支台と，該固定用支台に支持されるキーパと，該キーパに設けた被吸着面に磁気吸引力により吸着する吸着面を有する磁石構造体とからなる義歯アタッチメントにおいて，
上記キーパは，該キーパ自身に一体的に設けられた，上記被吸着面を設けた本体部と，該本体部の上記被吸着面と反対側にある裏面の中央から立設されたネジ部と，該ネジ部の基端に設けられた円錐状のテーパ軸部と，上記裏面の外周部において上記テーパ軸部との間にリング状の溝を形成するように軸方向に突出した突出リング部とを有し，
該突出リング部は，少なくともその外周面が先端に行くほど縮径する傾斜形状を呈していると共に，その先端部には略平坦な当接部が形成されており，
かつ，該突出リング部の最大外径は，上記本体部の上記被吸着面における外径よりも大きく，
上記固定用支台は，上記キーパの上記ネジ部を螺着させるネジ穴部と，該ネジ穴部の開口側に連設され上記テーパ軸部と略同じ傾斜角を有する円錐状のテーパ穴部と，開口端部の外周端に設けられ上記キーパの上記当接部と当接するための略平坦な受面部とを有しており，
上記ネジ部と上記ネジ穴部とを螺合させて上記キーパと上記固定用支台とを接合した際には，まず，上記テーパ軸部と上記テーパ穴部との間に締め込み余裕がある状態で，上記当接部が上記受面部に当接し，その後，上記キーパのねじ込みが進むことにより，上記当接部に対して，上記受面部から主に軸方向の応力が徐々に付与されていき，上記テーパ軸部と上記テーパ穴部とが強固に螺着した状態では，上記当接部と上記受面部とが当接して少なくとも上記突出リング部が軸方向に弾性変形した状態になるように，上記当接部と上記受面部とが当接した状態で上記テーパ軸部と上記テーパ穴部との間に締め込み余裕がある形状に構成されていることを特徴とする義歯アタッチメント。
【請求項２】
請求項１において，少なくとも，上記キーパの上記テーパ軸部と上記当接部，及び上記固定用支台の上記テーパ穴部と上記受面部には，耐摩耗性を高めるための表面処理が施されていることを特徴とする義歯アタッチメント。
【請求項３】
請求項１又は２において，上記固定用支台の上記開口端部には，上記受面部の内周側に，滑らかに軸方向に突出する傾斜面を有していることを特徴とする義歯アタッチメント。
【請求項４】
請求項１〜３のいずれか１項において，上記突出リング部の上記当接部は，略水平状に形成された第１当接面と，その内周側において水平状態から後退するよう傾斜した第２当接面とよりなることを特徴とする義歯アタッチメント。
【請求項５】
請求項１〜４のいずれか１項において，上記固定用支台の上記受面部は，外方に行くに連れて後退するよう傾斜していることを特徴とする義歯アタッチメント。
【発明の詳細な説明】
【０００１】
【技術分野】
本発明は，磁気吸引力によって義歯を固定用支台のキーパに対して着脱自在に固定する義歯アタッチメントに関する。
【０００２】
【従来技術】
歯科治療においては，義歯の着脱が容易であるという観点から，磁気吸引力を利用する義歯アタッチメントが種々提案されている。
例えば特開平９−２２４９５９号公報に開示された義歯アタッチメント９は，図９に示すごとく，顎骨に埋設される固定用支台としてのインプラント９１と，これに装着されるキーパ９３と，キーパ９３の被吸着面９３０に磁気吸引力により吸着する吸着面９５０を有する磁石構造体９５とから構成されている。
【０００３】
上記インプラント９１とキーパ９３との接合は，キーパ９３に設けたネジ部９３１をインプラント９１に設けたネジ穴部９１１に螺合させることによって行われる。このとき，両者の当接部９１２，９３２によって，密着性を高め，インプラント９１とキーパ９３とのすき間に異物が侵入して不潔になるのを防止している。
【０００４】
【解決しようとする課題】
しかしながら，上記接合力の維持は，上記ネジ穴部９１１とネジ部９３１における螺合に頼るだけでは不安定であり，上記義歯アタッチメントの使用中に緩みが生じるおそれがある。また，その緩みが生じれば，密着性も一気に低下して，清潔性を低下させるおそれもある。
そこで，従来より，インプラント等の固定用支台とキーパとをネジ止め方法により固定する場合に，上記接合力と密着性をより安定的に維持することができる義歯アタッチメントの開発が求められていた。
【０００５】
本発明はかかる従来の問題点に鑑みてなされたもので，固定用支台とキーパとの接合力と密着性を向上させることができる義歯アタッチメントを提供しようとするものである。
【０００６】
【課題の解決手段】
請求項１に記載の発明は，顎骨側に配置する固定用支台と，該固定用支台に支持されるキーパと，該キーパに設けた被吸着面に磁気吸引力により吸着する吸着面を有する磁石構造体とからなる義歯アタッチメントにおいて，
上記キーパは，該キーパ自身に一体的に設けられた，上記被吸着面を設けた本体部と，該本体部の上記被吸着面と反対側にある裏面の中央から立設されたネジ部と，該ネジ部の基端に設けられた円錐状のテーパ軸部と，上記裏面の外周部において上記テーパ軸部との間にリング状の溝を形成するように軸方向に突出した突出リング部とを有し，
該突出リング部は，少なくともその外周面が先端に行くほど縮径する傾斜形状を呈していると共に，その先端部には略平坦な当接部が形成されており，
かつ，該突出リング部の最大外径は，上記本体部の上記被吸着面における外径よりも大きく，
上記固定用支台は，上記キーパの上記ネジ部を螺着させるネジ穴部と，該ネジ穴部の開口側に連設され上記テーパ軸部と略同じ傾斜角を有する円錐状のテーパ穴部と，開口端部の外周端に設けられ上記キーパの上記当接部と当接するための略平坦な受面部とを有しており，
上記ネジ部と上記ネジ穴部とを螺合させて上記キーパと上記固定用支台とを接合した際には，まず，上記テーパ軸部と上記テーパ穴部との間に締め込み余裕がある状態で，上記当接部が上記受面部に当接し，その後，上記キーパのねじ込みが進むことにより，上記当接部に対して，上記受面部から主に軸方向の応力が徐々に付与されていき，上記テーパ軸部と上記テーパ穴部とが強固に螺着した状態では，上記当接部と上記受面部とが当接して少なくとも上記突出リング部が軸方向に弾性変形した状態になるように，上記当接部と上記受面部とが当接した状態で上記テーパ軸部と上記テーパ穴部との間に締め込み余裕がある形状に構成されていることを特徴とする義歯アタッチメントにある（請求項１）。
【０００７】
本発明の義歯アタッチメントは，上記のごとく，上記キーパに上記テーパ軸部を設けると共に，上記当接部を有する上記突出リング部を設けてある。一方，上記固定用支台には，上記テーパ穴部と上記受面部を設けてある。そして，キーパと固定用支台とを接合した際には，上記のごとく，上記テーパ軸部と上記テーパ穴部とを密着させると共に，上記当接部と上記受面部とが当接して少なくとも上記突出リング部が軸方向に弾性変形した状態を得る。
【０００８】
これにより，上記キーパと固定用支台との接合力は，上記テーパ軸部とテーパ穴部との摩擦力と，上記当接部と受面部との摩擦力の両方によって得られる。そして，特にテーパ軸部とテーパ穴部による摩擦力を得ることによって，従来と比べて格段に高い接合力，即ち，ねじ緩み防止力を発揮することができる。
【０００９】
一方，この状態において，上記突出リング部と上記受面部が当接することにより密着状態を得ることができる。
即ち，上記テーパ軸部とテーパ穴部との当接と，上記当接部と受面部との当接の両方を，ねじ込み時に同時に行うことができるような寸法精度を得ることは，これまでの優れた加工技術を駆使しても非常に難しい。これに対し，ねじ込み時に，上記突出リング部がある程度弾性変形することを前提としたならば，キーパ及び固定用支台の加工精度を妥当な範囲に抑えることができ，かつ，上記のごとく２箇所を強く密着させた接合状態を容易に得ることができるのである。
【００１０】
これにより，上記接合状態においては，上記突出リング部が弾性変形状態にあるので，上記の加工技術の困難性である，当接部と受面部との当接と，テーパ穴部とテーパ軸部との当接の両方を，ねじ込み時に同時に行うことができ，優れたねじ緩み防止力と，両者の間への異物侵入を防止する清潔性の両立を図ることができる。
【００１１】
したがって，本発明によれば，固定用支台とキーパとの接合力と密着性を向上させることができる義歯アタッチメントを得ることができる。
【００１２】
【発明の実施の形態】
本発明においては，少なくとも，上記キーパの上記テーパ軸部と上記当接部，及び上記固定用支台の上記テーパ穴部と上記受面部には，耐摩耗性を高めるための表面処理が施されていることが好ましい（請求項２）。
この場合には，上記キーパと上記固定用支台の当接部分の耐摩耗性向上により義歯アタッチメント全体の耐久性を向上させることができる。
【００１３】
この場合の表面処理としては，通常耐摩耗性を向上するために行われる種々の処理を行うことができ，例えば，ＴｉＮ，ダイヤモンド，Ｎ，Ｃｒ，セラミック等のコーティングや窒化処理，クロム処理などの表面処理が挙げられる。
また，同様の表面処理を上記キーパの被吸着面及び磁石構造体の吸着面に施すことが好ましい。これにより着脱の際の耐摩耗性を向上させることができる。
【００１４】
また，上記固定用支台の上記開口端部には，上記受面部の内周側に，滑らかに軸方向に突出する傾斜面を有していることが好ましい（請求項３）。この場合には，上記固定用支台のテーパ穴部の内面側を，上記突出リング部の内側の溝部に挿入した状態で配置する形状を得ることができ，上記テーパ穴部の内面の寸法を大きくしてテーパ穴部とテーパ軸部との摩擦力の向上を図ることができる。
【００１５】
また，上記突出リング部の上記当接部は，略水平状に形成された第１当接面と，その内周側において水平状態から後退するよう傾斜した第２当接面とよりなることが好ましい（請求項４）。この場合には，上記傾斜した第２当接面を上記固定用支台の受面部の内周側に最初に当接させることによって，上記突出リング部に対して径方向外方に向けた応力が与えられ，軸方向の弾性変形に加えて径方向の弾性変形をも生じさせることができる。これにより，キーパと固定用支台との接合安定性をさらに高めることができる。
【００１６】
また，上記固定用支台の上記受面部は，外方に行くに連れて後退するよう傾斜していることが好ましい（請求項５）。この場合にも，上記受圧面に当接したキーパの当接部が径方向外方への応力を受け，上記突出リング部の軸方向の弾性変形に加えて径方向の弾性変形をも生じさせることができる。そしてこれにより，キーパと固定用支台との接合安定性をさらに高めることができる。
なお，この場合の傾斜した受面部と，上述した第１当接面と第２当接面とを有する上記当接部を組み合わせることもできる。
【００１７】
なお，上記キーパは，固定用支台の上部（磁石構造体側）に固定され，磁石構造体とともに磁気回路を形成し，義歯を固定用支台へ固定する部材である。このキーパを形成する材料としては，従来より磁気吸引力を利用する義歯アタッチメントのキーパとして使用されている種々の歯科用の耐食性磁性材料を用いることができる。特に，飽和磁束密度１．３Ｔ以上，透磁率３０００以上の磁性材料を用いることが望ましく，このような特性を有する磁性材料には，鉄・クロム・モリブデン合金や，１９Ｃｒ−２Ｍｏ−０．２Ｔｉ鋼，１７Ｃｒ−２Ｍｏ−０．２Ｔｉ鋼等の軟磁性ステンレス鋼等がある。
【００１８】
また，上記磁石構造体は，キーパとともに磁気回路を形成し，義歯を固定用支台へ固定する部材である。この磁石構造体には，磁石体が含まれるが，この磁石体は，特に限定されるものではなく，従来より磁気吸引力を利用する義歯アタッチメントの磁石体として使用されている種々の磁性体を用いることができる。特に，高いエネルギー積をもつ磁性体を用いることが望ましく，具体的には，２３８８ｋＪ／ｍ3以上のエネルギー積をもつ磁性体を用いることが実用的に望ましい。このような磁性体としては，Ｎｄ−Ｆｅ−Ｂ系やＳｍ−Ｃｏ系の希土類磁石等がある。
【００１９】
【実施例】
（実施例１）
本発明の実施形態例にかかる義歯アタッチメント１は，図１に示すごとく，顎骨側に配置する固定用支台１０と，該固定用支台１０に支持されるキーパ３と，該キーパ３に設けた被吸着面３１に磁気吸引力により吸着する吸着面５１を有する磁石構造体５とからなる義歯アタッチメントである。
【００２０】
上記キーパ３は，被吸着面３１を設けた本体部３０と，該本体部３０の被吸着面３１と反対側にある裏面の中央から立設されたネジ部３３と，該ネジ部３３の基端に設けられた円錐状のテーパ軸部３５と，上記裏面の外周部において上記テーパ軸部３５との間にリング状の溝を形成するように軸方向に突出した突出リング部３７とを有する。
突出リング部３７は，少なくともその外周面３７２が先端に行くほど縮径する傾斜形状を呈していると共に，その先端部には略平坦な当接部３７５が形成されている。
【００２１】
上記固定用支台１０は，上記キーパ３の上記ネジ部３３を螺着させるネジ穴部１３と，該ネジ穴部１３の開口側に連設され上記テーパ軸部３５と同じ傾斜角を有する円錐状のテーパ穴部１５と，開口端部の外周端に設けられ上記キーパの上記当接部３７５と当接するための略平坦な受面部１７とを有している。
【００２２】
そして，上記ネジ部３３と上記ネジ穴部１３とを螺合させて上記キーパ３と上記固定用支台１０とを接合した際には，上記テーパ軸部３５と上記テーパ穴部１５とが密着すると共に，上記当接部３７５と上記受面部１７とが当接して少なくとも上記突出リング部３７が軸方向に弾性変形した状態になるよう構成されている。
以下，これをさらに詳説する。
【００２３】
上記固定用支台１０は，図１に示すごとく，いわゆるインプラントであって，側面にねじ山を有し（図示略）その上端に上記ネジ穴部１３とテーパ穴部１５とを設けて開口させている。
また本例では，固定用支台１０の上記開口端部には，受面部１７の内周側に，滑らかに軸方向に突出する傾斜面１６を設けた。
また本例では，上記テーパ穴部１５の軸方向に対する傾斜角α１を８°に設定した。また，開口端部における受面部１７は略水平状に設けた。
また，本例の固定用支台１０は，Ｔｉにより構成した。
【００２４】
上記キーパ３は，同図に示すごとく，本体部３０の被吸着面３１を水平状に形成した。また，図１，図５に示すごとく，本体部の外周面４箇所には，キーパ３をねじ込む際の工具（図示略）を係合させるための平坦切り欠き部３１８が設けられている。
また，本体部３０の裏面には，テーパ軸部３５とネジ部３３とを連ね，テーパ軸部３５との間に丸底の溝部３６が形成されるように上記突出リング部３７が配設されている。
【００２５】
また，本例では，突出リング部３７の内周面３７１が軸方向に対する角度γが４０°傾斜し，外周面３７２が軸方向に対して４０°傾斜するように設けた。
そして，上記突出リング部３７の内周面３７１と外周面３７２とに挟まれる先端部分に，平坦な当接部３７５を設けた。本例では略水平状に配設した。。
【００２６】
また，上記キーパ３の材質としては，１９Ｃｒ−２Ｍｏ−０．２Ｔｉを用いた。そして本例では，キーパ３の上記テーパ軸部３５と上記当接部３７５の内面（内周面３７１），及び被吸着面３１には，耐摩耗性を高めるための表面処理を施した。具体的には，イオンプレーティングにより，厚み約２μｍのＴｉＮよりなる被膜を形成した。
【００２７】
上記磁石構造体５は，図１に示すごとく，歯丈方向に互いに背向する両面がＮ極及びＳ極となる磁石体５５と，該磁石体５５を収納する凹部５９を有する第１ヨーク５２と，該第１ヨーク５２の開口部に配設され上記磁石体５５をシールし上記キーパ３に対面する第２ヨーク５３と，上記第１ヨーク５２と第２ヨーク５３との境界に位置する非磁性部５４とを有する。
また，該磁石構造体５は，上記第１ヨーク５２，第２ヨーク５３，および非磁性部５４によって形成される吸着面５１が，上記キーパ３の被吸着面３１と型対称な水平面形状を有している。
【００２８】
また，上記磁石構造体５の吸着面５１には，耐摩耗性を高めるため，ＴｉＮ膜による表面処理がなされている。
また，磁石構造体５はＮｄ系希土類磁石を用いた。第１ヨーク５２，第２ヨーク５３には１９Ｃｒ−２Ｍｏ−０．２Ｔｉ磁性ステンレス鋼を用いた。
【００２９】
次に，上記構造を有する義歯アタッチメント１を使用する際には，まず，上記固定用支台１０を顎骨（図示略）に埋設する。次に，固定用支台１０に対して上記キーパ３を螺合させる。
このとき，本例では，次のような作用が得られる寸法関係となるように，上記キーパ３と固定用支台１０とを加工してある。
【００３０】
即ち，図２に示すごとく，キーパ３のネジ部３３と固定用支台１０ネジ穴１３とをあわせてキーパ３をねじ込んでいくことにより，キーパ３のテーパ軸部３５と当接部３７５とが，それぞれ固定用支台１０のテーパ穴部１５と受面部１７に近づいていく。
【００３１】
そして，図３に示すごとく，テーパ軸部３５とテーパ穴部１５との間にある程度の締め込み余裕がある状態で，当接部３７５が受面部１７に当接する。
【００３２】
次いで，図４に示すごとく，キーパ３のねじ込みが進むことにより，当接部３７５に対して，上記受面部１７から主に軸方向の応力が徐々に付与されていき，テーパ軸部３５とテーパ穴部１５とが強固に螺着した状態では，上記突出リング部３７が少なくとも軸方向に弾性変形した状態が得られる。
【００３３】
このように，本例の義歯アタッチメント１は，キーパ３と固定用支台１０とを接合した際には，上記のごとく，上記テーパ軸部３５と上記テーパ穴部１５とを密着させると共に，上記当接部３７５と上記受面部１７とが当接して少なくとも上記突出リング部３７が軸方向に弾性変形した状態が得られる。
【００３４】
これにより，キーパ３と固定用支台１０との接合力は，テーパ軸部３５とテーパ穴部１５との摩擦力と，上記当接部３７５と受面部１７との摩擦力の両方によって得られる。そして，特にテーパ軸部３５とテーパ穴部１５による摩擦力を得ることによって，従来と比べて格段に高い接合力，即ち，ねじ緩み防止力を発揮することができる。
【００３５】
これにより，上記接合状態においては，上記突出リング部３７が弾性変形状態にあるので，上記の加工技術の困難性である，当接部３７５と受面部１７との当接と，テーパ穴部１５とテーパ軸部３５との当接の両方を，ねじ込み時に同時に行うことができ，優れたねじ緩み防止力と，両者の間への異物侵入を防止する清潔性の両立を図ることができる。
【００３６】
（実施例２）
本例は，図６に示すごとく，実施例１と若干構成が異なるキーパ３，磁石構造体５を用いた例である。
具体的には，キーパ３は，同図に示すごとく，その被吸着面３１を曲率半径８ｍｍの凸状球面形状に形成した。一方，磁石構造体５の吸着面５１は，キーパ３の被吸着面３１と型対称な凹状球面形状に形成した。
その他の構造はほぼ実施例１の義歯アタッチメント１と同様とし，キーパにおけるテーパ軸部３５と当接部３７５，および固定用支台１０におけるテーパ穴部１５と受面部１７などの形状，寸法も実施例１と同様とした。
【００３７】
本例の場合にも，実施例１と同様に，キーパ３と固定用支台１０とを接合した際には，上記テーパ軸部３５と上記テーパ穴部１５とが密着すると共に，上記当接部３７５と上記受面部１７とが当接して少なくとも上記突出リング部３７が軸方向に弾性変形した状態が得られる。そのため，非常に優れた接合力と密着性を得ることができる。
【００３８】
（実施例３）
本例は，図７に示すごとく，実施例１におけるキーパ３の当接部３７５の形状を変更した例である。
即ち，本例の突出リング部３７の当接部３７５は，略水平状に形成された第１当接面３７６と，その内周側において水平状態から後退するよう傾斜した第２当接面３７７とより構成した。
【００３９】
この場合には，上記傾斜した第２当接面３７７を上記固定用支台１０の受面部１７の内周側の傾斜面１６に最初に当接させることによって，上記突出リング部３７に対して径方向外方に向けた応力が与えられ，軸方向の弾性変形に加えて径方向の弾性変形をも生じさせることができる。これにより，キーパ３と固定用支台１０との接合安定性をさらに高めることができる。
その他は実施例１と同様の作用効果が得られる。
【００４０】
（実施例４）
本例は，図８に示すごとく，実施例１における固定用支台１０の受面部１７の形状を変更した例である。
即ち，本例の固定用支台１０の受面部１７は，外方に行くに連れて後退するよう傾斜させた。具体的な傾斜角度βは水平方向に対して約３０°とした。
【００４１】
この場合には，上記受圧面１７に当接したキーパ３の当接部３７５が径方向外方への応力を受け，上記突出リング部の１７軸方向の弾性変形に加えて径方向の弾性変形をも生じさせることができる。そしてこれにより，キーパ３と固定用支台１０との接合安定性をさらに高めることができる。
なお，この場合の傾斜した受面部１７と，上述した実施例３の第１当接面３７６と第２当接面３７７とを有する当接部を組み合わせることもできる。
その他は実施例１と同様の作用効果が得られる。
【図面の簡単な説明】
【図１】実施例１における，義歯アタッチメントの構成を示す説明図。
【図２】実施例１における，キーパと固定用支台との接合作業の初期段階を示す説明図。
【図３】実施例１における，キーパと固定用支台との接合時に当接部が受面部に接触した瞬間を示す説明図。
【図４】実施例１における，キーパと固定用支台との接合が完了した状態を示す説明図。
【図５】実施例１における，キーパの平面図。
【図６】実施例２における，義歯アタッチメントの構成を示す説明図。
【図７】実施例３における，キーパの当接部の形状を示す説明図。
【図８】実施例４における，固定用支台の受面部の形状を示す説明図。
【図９】従来例における，義歯アタッチメントの構成を示す説明図。
【符号の説明】
１．．．義歯アタッチメント，
１０．．．固定用支台，
１３．．．ネジ穴部，
１５．．．テーパ穴部，
１７．．．受面部，
３．．．キーパ，
３０．．．本体部，
３１．．．被吸着面，
３３．．．ネジ部，
３５．．．テーパ軸部，
３７．．．突出リング部，
３７５．．．当接部，
５．．．磁石構造体，
５１．．．吸着面，
【図１】
0004179779.tif 000002
【図２】
0004179779.tif 000003
【図３】
0004179779.tif 000004
【図４】
0004179779.tif 000005
【図５】
0004179779.tif 000006
【図６】
0004179779.tif 000007
【図７】
0004179779.tif 000008
【図８】
0004179779.tif 000009
【図９】
0004179779.tif 000010